(57)【特許請求の範囲】
【請求項１】
下地材３２に外壁材２８を取付けたのち、外壁材間に形成される目地３３に挿入して適当間隔で止着手段３５、４２により止着され、開口端に内向きに突出する係止部２５を形成した断面凹形のクリップ２１、４１、５１と、上記目地３３に押込められ、クリップ２１、４１、５１に強制嵌合して係止部２５に係止して抜け止めされる被係止部３７ｄを備えたガスケット３７よりなる目地構造において、
前記クリップ２１、４１、５１が、上記係止部２５を備えた軟質樹脂、ゴム、ゴム様弾性体又は金属製のジョイナー２３と、該ジョイナー２３の外側に被覆されるか、或いはジョイナー２３に埋設されて一体化される硬質樹脂又は金属製のベース２２とより構成され、上記ジョイナー２３が、ベース２２の長手方向に部分的に設けられることを特徴とする目地構造。
【請求項２】
前記止着手段がクリップ２１、５１を通して下地材３２に捩じ込まれる止めネジ３５であり、前記ジョイナー２３が外壁材端面に弾接するリップ２６を有することを特徴とする請求項１記載の目地構造。
【請求項３】
上記ベース２２がその長手方向に適当間隔で目地挿入時に外壁材端面に弾性変形して係止する係止片４２を側方に突出して設けたことを特徴とする請求項１記載の目地構造。
【発明の詳細な説明】
【０００１】
【発明が属する技術分野】
本発明は、建物の外壁に取付けられる外壁材の外壁材間における目地構造に関する。
【０００２】
【従来技術】
この種目地構造として知られるものの一つに、図１に示すように下地材１に嵌合部２により形成される嵌合凹溝２ｂを備えたベース目地３を固定し、ベース目地３の嵌合部２の両側に外壁材４を配置固定したのち、外装材間の目地５にガスケット６を装着し、その嵌合凸片７を嵌合凹溝２ｂに挿入して、嵌合凸片７先端の膨大係止部８を嵌合部２の係止凸片２ａに係止させるようにしたものが知られる（例えば特許文献１参照）。
【０００３】
図２は、従来の目地構造の別の例を示すもので、柱部１１の上端に目地１２の開口を覆うカバー部１３を一体形成すると共に、柱部１１の両側に複数段のシールリップ１４ａ、１４ｂを突設し、柱部下端の底板部１５にクリップ１６を取付けて、その両端を外壁材１５端面の木口に圧接させて係止させるようにしたものであり、図３は、ガスケットの別の例を示すもので、クリップ１６を取付ける代わりに下段のシールリップ１４ｂに芯材１７を埋設したものである（特許文献２）。
【０００４】
【特許文献１】
特開平９−２９１６１６号
【特許文献２】
特開平８−６０７５４号
【０００５】
【発明が解決しようとする課題】
上述する図１に示すものは、嵌合凹溝２ｂに嵌合凸片７を挿入することによってガスケット６の奥行方向及び目地幅方向への位置決めが行われて装着されたガスケット６の納まりがよく、外観性が向上し、また膨大係止部８が係止凸片２ａに係止することによりガスケット６が抜け止めされて、寒冷時に外壁材４が収縮し、目地幅が広がってもガスケット６の脱落が防止されるが、外壁材４を取付ける前にベース目地３を取付ける必要があり、ベース目地３を取付けるに当たっては、外壁材が取付けられる下地材に目地形成箇所を設定して取付ける必要があり、その設定作業は容易でない。
【０００６】
これに対し、図２及び図３に示すものは、外壁材を取付たのち、外壁材間の目地にガスケットを装着することにより目地構造が構成され、上述する目地構造のように外壁材取付けの前にベース目地を位置決めして取付ける必要がなく、上述するような問題は生じないが、なお改善すべき余地がある。
【０００７】
本発明は、ガスケットの奥行方向及び目地幅方向への位置決めを行って目地への納まりをよくして外観性を向上させ、寒冷時に外壁材が収縮して目地幅が広がるようなことがあってもガスケットの脱落が生じないようにすると共に、外壁材を取付けたのちに組付けを行うことができるようにして作業性を向上させた目地構造を提供することを目的とする。
【０００８】
【課題の解決手段】
請求項１に係る発明は、下地材に外壁材を取付けたのち、外壁材間に形成される目地に挿入して適当間隔で止着手段により止着され、開口端に内向きに突出する係止部を形成した断面凹形のクリップと、上記目地に押込められ、クリップに強制嵌合して係止部に係止して抜け止めされる被係止部を備えたガスケットよりなる目地構造において、前記クリップが、上記係止部を備えた軟質樹脂、ゴム、ゴム様弾性体又は金属製のジョイナーと、該ジョイナーの外側に被覆されるか、或いはジョイナーに埋設されて一体化される硬質樹脂又は金属製のベースとより構成され、上記ジョイナーが、ベースの長手方向に部分的に設けられることを特徴とする。
本発明においては、ジョイナーのある箇所でのみガスケットの取付けが行われ、ジョイナーがベースの全長にわたって設けられるものよりも取付作業が軽減される。
【０００９】
請求項２に係わる発明は、請求項１に係る発明において、前記止着手段がクリップを通して下地材に捩じ込まれる止めネジであり、前記ジョイナーが外壁材端面に弾接するリップを有することを特徴とする。
【００１０】
本発明においては、止着手段としての止ネジによって、ジョイナー間においてベースが固定される。この場合、断面略Ｕ形状をなすベースは、止ネジを止着する箇所だけ対向する側壁を切除しておくのが望ましい。これによりドライバー等の工具を用いて止ネジの捩込み作業を行う場合、作業範囲が広がってその作業性が向上する。
【００１１】
本発明においてはまた、ベースを止ネジでネジ止めするのに適した材質のものとし、ジョイナーをガスケットを係止するのに適した材質のものとすることができる。
ここでベースとジョイナーは好ましくは一体成形されるが、別体に形成して重ね合わせ、接着又はネジ止めして一体化してもよい。
【００１２】
請求項３に係る発明は、請求項１又は２に係る発明において、上記ベースがその長手方向に適当間隔で目地挿入時に外壁材端面に弾性変形して係止する係止片を側方に突出して設けたことを特徴とする。
【００１３】
本発明においては、係止片が適当間隔で設けられているため、全長に設けられているものよりもクリップを目地内に挿入するときの押込み作業が係止片のある箇所でのみ部分的に行えばよく、作業性がよい。
【００１４】
【発明の実施の形態】
図４に示すクリップ２１は、断面略Ｕ形状をなす金属製のベース２２と、該ベース２２の両端において内側に被覆一体化されるゴム、例えばＥＰＤＭ製のジョイナー２３とよりなり、ベース２２はその両側にジョイナー２３に接近してベース長手方向に長孔２４を有すると共に、長孔２４に対応する箇所の両側壁２２ａが長孔２４の長さ分、切除されている。
【００１５】
ジョイナー２３は図６に示すように、断面略Ｕ形状をなして開口端に内向きに突出する係止部としての爪２５と、開口端より外向きの斜め上向きに爪２５の延長上に突出するリップ２６とよりなっている。
【００１６】
図４及び図７に示すように、外壁材２８は端部裏面に添設される鋼板２９を有し、鋼板２９は外壁材端面より側方に突出し、ネジ孔３１を備えた固定部２９Ａを有している。下地材３２上に外壁材２８を取付けるときには、固定部２９が互いに重ならないように一定の間隔を存して取付け、これにより外壁材間に一定幅の目地３３が形成される。その後、目地構造が次のようにして施工される。
【００１７】
先ず図４に示すクリップ２１が目地３３に挿入され、止ネジ３５がベース２２の長孔２４及び固定部２９ａのネジ孔３１を通して下地材３２に捩込まれる。この捩込みはクリップ両端の長孔両端においてそれぞれ行われ、これによりクリップ２１が目地内で固定される。
【００１８】
次にガスケット、例えば図８に示すようなガスケット３７が目地３３に押込められる。このガスケット３７は、柱部３７ａと、柱部上端に形成され、目地３３を覆う被覆部３７ｂと、柱部中間より斜め側方に突出し、外壁材端面に弾接するリップ３７ｃと、柱部下端に形成され、被係止部としての鉤部３７ｄとよりなり、目地３３への押込みにより鉤部３７ｄが爪２５を経てジョイナー２３に強制嵌合され、爪２５に係止して抜け止めされるようになっている。図９は、こうして施工された目地構造を示す。
【００１９】
本実施形態の目地構造によると、クリップ２１は止ネジ３５によって下地材３２に固定されるため、目地幅の大小の以下にかかわらず、目地内に確実に固定できること、止ネジ３５によるクリップ２１の止着は、クリップ２１の両端において行われ、一部でのみ行えばよいから作業性が向上すること、ガスケット３７は鉤部３７ｄが爪２５を通って強制嵌合することにより目地幅方向の位置決めが行われ、かつ鉤部３７ｄが爪２５に抜け止めされた状態で奥行方向の位置決めが行われるためガスケット３７の納まりがよく、外観性が向上すること、ガスケット３７がクリップ２１に抜け止めされるため寒冷時に外壁材２８が収縮し、目地幅が広がるようなことがあってもガスケット３７の脱落を生じることがないこと、外壁材２８を取付けたのち外壁材間に形成される目地３３に装着でき、クリップ２１を外壁材取付前に取付けなくてもよいため作業性がよいこと、クリップ２１やガスケット３７の挿入時に外壁材端面を傷付けるおそれがないこと、等の効果を奏する。
【００２０】
図１０は、クリップの別の例を示すもので、このクリップ４１は上述するクリップ２１において、ベース２２両側に長孔２４を形成する代わりにジョイナー２３が一体形成される箇所の両側にリップ状の係止片４２を突出形成したものである。このクリップ４１は、図示する例では、ベース２２の両側壁２２ａは切除されていないが、図４に示すもののようにジョイナー２３が設けられる箇所以外の箇所を切除してもよい。
【００２１】
図１１は、図１０に示すクリップ４１を用いた目地構造を示すもので、クリップ４１の固定は、目地３３への挿入時にクリップ両端を目地３３に強く押込むことによって行い、押込みにより係止片４２が外壁材間により上向きに弾性変形して外壁材端面に係止する。クリップ４１取付後、ガスケット３７が上記と同様にして取着される。
【００２２】
本実施形態の目地構造においては、係止片４２が外壁材端面に当たって弾性変形する範囲内であれば、目地幅が若干広がってもクリップ４１を固定することができ、その固定はクリップ４１両端部を目地内に強く押込むだけでよく（他の箇所は、クリップが目地幅より狭いため容易に挿入される）、上述するクリップ２１のような止ネジ３５による止着に比べ、作業性がより一層向上する。ガスケット３７に関しては、上記と同様の効果を奏する。なお、本実施形態においては、外壁材２８に鋼板２９を設ける必要がないし、設けるにしても固定部２９ａを省くことができる。
【００２３】
図１２は、クリップの更に別の例を示すもので、このクリップ５１は上述するクリップ２１のジョイナー２３を肉厚にした形態をなして内部にＵ形断面の芯金５２を埋設して一体成形し、芯金５２にはベース２２に形成される長孔２４と同様の長孔５３を形成して、ＥＰＤＭ製のジョイナー５４にも長孔５３に対応する箇所に長孔５３より幅広の長孔５５を形成したもので、クリップ２１と同様、目地３３に挿入されたのち止ネジ３５を用い、下地材に止着される。
【００２４】
【発明の効果】
請求項１に係わる発明によると、外壁材を取付けたのち、外壁材間に形成される目地に組付けることができ、外壁材取付前にクリップを取付けるものと比べ、目地形成箇所を設定する必要がない分、作業性が向上すること、ガスケットをジョイナーに強制嵌合することにより目地の奥行方向及び目地幅方向への位置決めが行われるためガスケットの納まりがよく、外観性が向上すること、ジョイナーへのガスケットの取り付けがジョイナーのある箇所でのみ部分的に行われるからクリップをその全長において止着するよりもガスケットの取付作業が軽減され、作業性が向上すること等の効果を奏する。
【００２５】
請求項２に係る発明においては更に、クリップを止ネジで止着することにより目地幅の大小の如何にかかわらず、また寒冷時に外壁材の収縮により目地幅が広がるようなことがあっても、クリップや該クリップに取付けられるガスケットを目地より脱落することなく確実に固定することができること、ベースを止ネジで止着するのに適した材質とし、ジョイナーをガスケットを係止するのに適した材質とすることができること等の効果を奏する。
【００２６】
また請求項３に係わる発明においては、係止片が突設される箇所のクリップを目地内に強く押し込むだけでクリップを固定することができ、クリップ固定の作業性がよいという効果を奏する。
【図面の簡単な説明】
【図１】従来の目地構造の断面図。
【図２】従来の目地構造の別の例の断面図。
【図３】従来の目地構造の更に別の例の断面図。
【図４】目地構造組付前のクリップの斜視図。
【図５】図４に示すクリップの長孔部分の拡大断面図。
【図６】図４に示すクリップ部分のジョイナー部分の拡大断面図。
【図７】目地の正面図。
【図８】ガスケットの断面図。
【図９】施工後の目地構造の断面図。
【図１０】クリップの別の例の斜視図。
【図１１】図１０に示すクリップを用いた目地構造の断面図。
【図１２】クリップの更に別の例の断面図。
【符号の説明】
２１、４１、５１・・クリップ
２２・・ベース
２３・・ジョイナー
２４、５３、５５・・長孔
２５・・爪
２６・・リップ
２８・・外壁材
２９・・鋼板
２９ａ・・固定部
３１・・ネジ孔
３２・・下地材
３３・・目地
３５・・止ネジ
３７・・ガスケット
３７ａ・・柱部
３７ｂ・・被覆部
３７ｃ・・リップ
３７ｄ・・鉤部
４２・・係止片
５２・・芯金
【図１】
0004112435.tif 000002
【図２】
0004112435.tif 000003
【図３】
0004112435.tif 000004
【図４】
0004112435.tif 000005
【図５】
0004112435.tif 000006
【図６】
0004112435.tif 000007
【図７】
0004112435.tif 000008
【図８】
0004112435.tif 000009
【図９】
0004112435.tif 000010
【図１０】
0004112435.tif 000011
【図１１】
0004112435.tif 000012
【図１２】
0004112435.tif 000013